【手続補正書】
【提出日】令和3年11月5日(2021.11.5)
【手続補正１】
【補正対象書類名】特許請求の範囲
【補正対象項目名】全文
【補正方法】変更
【補正の内容】
【特許請求の範囲】
【請求項１】
鋏で切ることが可能な短冊状のプレート本体と、当該プレート本体の裏面の長さ方向の中間部分に一体に設けられる凸状の支持部とから成り、
前記プレート本体の短辺側の両端縁の各々から当該プレート本体の中心線を越えない所定位置までの範囲のうちの前記支持部が設けられていない箇所が、利用者の爪がその先端部を当該プレート本体の中央部に向けて該当箇所の表面に配置されたときの当該爪の両側縁および底縁に適合する輪郭形状になるように切断される対象となる、マニキュア用のシート材の製作用プレート。
【請求項２】
前記支持部の少なくとも前記プレート本体の各短辺に向き合う両端部分がプレート本体より幅狭になっており、前記プレート本体の支持部より外側の範囲が前記切断の対象に含まれる、請求項１に記載されたマニキュア用のシート材の製作用プレート。
【請求項３】
前記プレート本体または前記支持部に、利用者の爪の先端部に対応させる位置であることを表すマークが設けられている、請求項１または２に記載されたマニキュア用のシート材の製作用プレート。
【請求項４】
前記プレート本体の表面が梨地面に形成されている、請求項１〜３のいずれかに記載されたマニキュア用のシート材の製作用プレート。
【請求項５】
鋏で切ることが可能なプレートの少なくとも一箇所を、利用者の爪がその先端部を当該プレートの内側に向けて該当箇所の表面に配置されたときの当該爪の両側縁および底縁に適合する輪郭形状になるように切断し、
前記プレートの一部分であって前記切断による輪郭線が端縁に含まれる所定範囲にコート液を塗布して当該コート液を乾燥させることによりコート層を形成し、
前記コート層が形成されたプレートの表面に当該コート層に重なるようにマニキュア液を塗布することにより装飾層を形成する、
ことを特徴とするマニキュアシートの製作方法。
【請求項６】
請求項５に記載された方法において、
前記コート液の塗布に先立ち、マニキュア液または絵の具の溶液を用いて前記プレートの前記切断による輪郭線が端縁に含まれる所定範囲内の表面に装飾用の絵または模様を描く、
マニキュアシートの製作方法。
【請求項７】
請求項５に記載された方法において、
前記プレートを短冊状とし、その短辺側の両端縁の少なくとも一方から中心線を越えない所定位置までの範囲を前記利用者の爪の両側縁および底縁に適合する輪郭形状になるように切断する、
マニキュアシートの製作方法。
【請求項８】
請求項７に記載された方法において、
前記プレートを透明または半透明とし、
切断後の前記プレートにコート液を塗布する処理に先立ち、前記支持部を介して水平方向に沿う面の上に支持された当該プレートの前記支持部より外側の範囲と前記水平方向に沿う面との間に生じている隙間に下絵が描かれたシート片を挿入し、マニキュア液または絵の具の溶液を用いて前記プレートの表面に前記下絵に合わせた絵を描く、
マニキュアシートの製作方法。
【手続補正２】
【補正対象書類名】明細書
【補正対象項目名】発明の名称
【補正方法】変更
【補正の内容】
【発明の名称】マニキュア用のシート材の製作用プレートおよびマニキュアシートの製作方法
【手続補正３】
【補正対象書類名】明細書
【補正対象項目名】０００１
【補正方法】変更
【補正の内容】
【０００１】
本発明は、マニキュア液（一般に「ネイルポリッシュ」または略して「ポリッシュ」と呼ばれる爪化粧用の液剤である。）を用いてマニキュア用のシート材を製作する作業や製作済みのマニキュア用のシート材を利用者の爪に適合する形に整える作業に用いられる道具およびマニキュア用のシート材を製作する方法に関する。
【手続補正４】
【補正対象書類名】明細書
【補正対象項目名】０００９
【補正方法】変更
【補正の内容】
【０００９】
本発明は上記の問題に着目してなされたもので、利用者の爪にぴったり合わせることができるマニキュア用のシート材を容易に製作できるようにすることや、製作済みのマニキュア用のシート材を利用者の爪にぴったり合う形に整える作業を容易にすることを課題とする。
【手続補正５】
【補正対象書類名】明細書
【補正対象項目名】００１０
【補正方法】変更
【補正の内容】
【００１０】
上記の課題を解決するものとして、本発明は、鋏で切ることが可能な短冊状のプレート本体と、当該プレート本体の裏面の長さ方向の中間部分に一体に設けられる凸状の支持部とから成るマニキュア用のシート材の製作用プレートを提供する。このプレートでは、プレート本体の短辺側の両端縁の各々から当該プレートの中心線を越えない所定位置までの範囲のうちの支持部が設けられていない箇所が、利用者の爪がその先端部をプレート本体の中央部に向けて該当箇所の表面に配置されたときの当該爪の両側縁および底縁に適合する輪郭形状になるように切断される対象となる。この切断による輪郭線が端縁に含まれる所定範囲が、マニキュアシートの材料のマニキュア液を塗布する対象の範囲または製作済みのマニキュアシートや市販のネイルシールを装着する範囲として使用されることになる。
【手続補正６】
【補正対象書類名】明細書
【補正対象項目名】００１６
【補正方法】変更
【補正の内容】
【００１６】
プレート本体の支持部が形成されていない部分は鋏で切断することができるので、この部分を殆どの人の爪より大きくしておけば、どの利用者でも、当該部分を自身の爪の形状や大きさに適合するように切断することによって、自身の爪にぴったり合うマニキュアシートを製作することができる。様々な人の爪に合わせることができる大きめのマニキュアシートや市販のネイルシールを利用者の爪に適合する形状に整える目的にも使用することができる。また、支持部の少なくともプレート本体の各短辺に向き合う両端部分の幅をプレート本体より狭くすることによって切断対象部分を十分に確保することができると共に、支持部をプレート本体を安定して支持できる長さにすることができる。
【手続補正７】
【補正対象書類名】明細書
【補正対象項目名】００２０
【補正方法】変更
【補正の内容】
【００２０】
凸状の支持部が裏面に設けられていないプレートであっても、別体の支持部を介して長さ方向の中間部分を支えることによって、上記に例示したマニキュアシートの製作方法を実施することができる。また、鋏で切断することができる柔軟度を確保できるのであれば、端面に除光液を付着する際に表面への除光液への浸み出しを防ぐことができる程度の厚みをプレートにもたせることによって、支持部を不要にすることができる。そのようなプレートの形態は短冊状に限るものではない。
【手続補正８】
【補正対象書類名】明細書
【補正対象項目名】００２１
【補正方法】変更
【補正の内容】
【００２１】
本発明によれば、自分の爪にぴったりと合わせることができるマニキュアシートを容易に製作することができる。また、十分な量のマニキュア液を塗りむらが生じないように塗布することができ、マニキュアシートを剥がす際のシートの破れを防止することができる構成のプレートを、繰り返し使用することができるので、爪のおしゃれを存分に楽しむことができる。さらに、本発明によれば、様々な人の爪に合わせることができる大きめのマニキュアシートや市販のネイルシールを利用者の爪に適合する形状に整えることも容易になる。
【手続補正９】
【補正対象書類名】明細書
【補正対象項目名】００２８
【補正方法】変更
【補正の内容】
【００２８】
図２は、上記マニキュア用プレート１の裏面側の構成を表した斜視図（親指用のプレート１Ａで例示する。）であり、図３は当該プレート１の前方側の端面（厚み部分）の形状を表したものである。この実施例のマニキュア用プレート１の支持部１１は、中央部に向かうにつれて幅が広くなるように長さ方向に沿う端縁を弧状に湾曲させた略六角形状の主面１２の各辺にプレート本体１０に近づくにつれて外側に広がるように傾斜させた端面１３を連ねた構成のものである。主面１２の中央部（最も幅が広い部分）に先に述べた識別用の数字Ｎが記され、主面１２の両端部にそれぞれ大小一対の星印Ｓ１，Ｓ２が記されている。